【手続補正書】
【提出日】令和3年4月19日(2021.4.19)
【手続補正１】
【補正対象書類名】特許請求の範囲
【補正対象項目名】全文
【補正方法】変更
【補正の内容】
【特許請求の範囲】
【請求項１】
対向する回転体と共同して加熱ニップ部を形成するベルトユニットであって、
金属層を有するエンドレスベルトと、
通電により発熱する発熱体を有し、前記エンドレスベルトの内周面に当接して前記エンドレスベルトを加熱するヒータを備え、前記加熱ニップ部を形成されるよう前記回転体と共に前記エンドレスベルトを挟むニップ形成部材と、
前記ニップ形成部材を前記回転体に向けて押圧する金属ステイと、
前記エンドレスベルトの温度を検知する温度検知素子と、
前記温度検知素子を前記エンドレスベルトの内周面に向けて付勢する金属製の板バネと、
前記ステイの内側に位置し、前記板バネを支持する絶縁性の支持部材と、
前記板バネを介して前記温度検知素子と電気的に接続するコードと、
前記板バネの露出している露出部と前記ステイの間を絶縁すべく前記板バネの露出部と前記ステイとの間に介在する介在部を備え、前記支持部材を保持する絶縁性のホルダ部と、を有し、
前記発熱体から、前記ステイと前記板バネの露出部までの、前記ステイ及び前記介在部を通る沿面距離は、２．５ｍｍ以上であることを特徴とするベルトユニット。
【請求項２】
前記ホルダ部は、前記コードを保持するホルダであることを特徴とする請求項１に記載のベルトユニット。
【請求項３】
前記ヒータは、前記発熱体を絶縁する絶縁層を備えることを特徴とする請求項１または２に記載のベルトユニット。
【請求項４】
前記コードは、前記板バネを介して前記温度検知素子を制御部に電気的に接続することを特徴とする請求項１乃至３の何れか１項に記載のベルトユニット。
【請求項５】
前記ヒータの温度を検知する第２の温度検知素子をさらに有し、
前記ホルダ部は、前記第２の温度検知素子を前記ヒータに付勢するバネを保持しているホルダであることを特徴とする請求項１乃至４の何れか１項に記載のベルトユニット。
【請求項６】
前記第２の温度検知素子と制御部とを電気的に接続する第２のコードをさらに有し、
前記ホルダ部は、前記第２のコードを保持するホルダであることを特徴とする請求項５に記載のベルトユニット。
【請求項７】
前記ホルダ部と前記介在部は、一体成型された樹脂であることを特徴とする請求項１乃至６の何れか１項に記載のベルトユニット。
【請求項８】
対向する回転体と共同して加熱ニップ部を形成するベルトユニットであって、
金属層を有するエンドレスベルトと、
通電により発熱する発熱体を有し、前記エンドレスベルトの内周面に当接して前記エンドレスベルトを加熱するヒータを備え、前記加熱ニップ部を形成されるよう前記回転体と共に前記エンドレスベルトを挟むニップ形成部材と、
前記ニップ形成部材を前記回転体に向けて押圧する金属ステイと、
前記エンドレスベルトの温度を検知する温度検知素子と、
前記温度検知素子を前記エンドレスベルトの内周面に向けて付勢する金属製の板バネと、
前記ステイの内側に位置し、前記板バネを支持する絶縁性の支持部材と、
前記板バネを介して前記温度検知素子と電気的に接続するコードと、
前記板バネの露出している露出部と前記ステイの間を絶縁すべく前記板バネの露出部と前記ステイとの間に介在する介在部を備え、前記支持部材を保持する絶縁性のホルダ部と、を有し、
前記板バネが弾性に抗して曲げられたとき、前記板バネの露出部が前記介在部に当接することにより前記板バネの曲げが規制されることを特徴とするベルトユニット。
【請求項９】
金属層を有するエンドレスベルトと、
前記エンドレスベルトと協働してシート上のトナー画像を加熱する加熱ニップ部を形成する回転体と、
通電により発熱する発熱体を有し、前記エンドレスベルトの内周面に当接して前記エンドレスベルトを加熱するヒータを備え、前記加熱ニップ部を形成されるよう前記回転体と共に前記エンドレスベルトを挟むニップ形成部材と、
前記ニップ形成部材を前記回転体に向けて押圧する金属ステイと、
前記エンドレスベルトの温度を検知する温度検知素子と、
前記温度検知素子を前記エンドレスベルトの内周面に向けて付勢する金属製の板バネと、
前記ステイの内側に位置し、前記板バネを支持する絶縁性の支持部材と、
前記板バネを介して前記温度検知素子と電気的に接続するコードと、
前記板バネの露出している露出部と前記ステイの間を絶縁すべく前記板バネの露出部と前記ステイとの間に介在する介在部を備え、前記支持部材を保持する絶縁性のホルダ部と、を有し、
前記発熱体から、前記ステイと前記板バネの露出部までの、前記ステイ及び前記介在部を通る沿面距離は、２．５ｍｍ以上であることを特徴とする画像加熱装置。
【請求項１０】
前記ホルダ部は、前記コードを保持するホルダであることを特徴とする請求項９に記載の画像加熱装置。
【請求項１１】
前記ヒータは、前記発熱体を絶縁する絶縁層を備えることを特徴とする請求項９または１０に記載の画像加熱装置。
【請求項１２】
前記コードは、前記板バネを介して前記温度検知素子を制御部に電気的に接続することを特徴とする請求項９乃至１１の何れか１項に記載の画像加熱装置。
【請求項１３】
前記ヒータの温度を検知する第２の温度検知素子をさらに有し、
前記ホルダ部は、前記第２の温度検知素子を前記ヒータに付勢するバネを保持しているホルダであることを特徴とする請求項９乃至１２の何れか１項に記載の画像加熱装置。
【請求項１４】
前記第２の温度検知素子と制御部とを電気的に接続する第２のコードをさらに有し、
前記ホルダ部は、前記第２のコードを保持するホルダであることを特徴とする請求項１３に記載の画像加熱装置。
【請求項１５】
前記ホルダ部と前記介在部は、一体成型された樹脂であることを特徴とする請求項９乃至１４の何れか１項に記載の画像加熱装置。
【請求項１６】
金属層を有するエンドレスベルトと、
前記エンドレスベルトと協働してシート上のトナー画像を加熱する加熱ニップ部を形成する回転体と、
通電により発熱する発熱体を有し、前記エンドレスベルトの内周面に当接して前記エンドレスベルトを加熱するヒータを備え、前記加熱ニップ部を形成されるよう前記回転体と共に前記エンドレスベルトを挟むニップ形成部材と、
前記ニップ形成部材を前記回転体に向けて押圧する金属ステイと、
前記エンドレスベルトの温度を検知する温度検知素子と、
前記温度検知素子を前記エンドレスベルトの内周面に向けて付勢する金属製の板バネと、
前記ステイの内側に位置し、前記板バネを支持する絶縁性の支持部材と、
前記板バネを介して前記温度検知素子と電気的に接続するコードと、
前記板バネの露出している露出部と前記ステイの間を絶縁すべく前記板バネの露出部と前記ステイとの間に介在する介在部を備え、前記支持部材を保持する絶縁性のホルダ部と、を有し、
前記板バネが弾性に抗して曲げられたとき、前記板バネの露出部が前記介在部に当接することにより前記板バネの曲げが規制されることを特徴とする画像加熱装置。
【手続補正２】
【補正対象書類名】明細書
【補正対象項目名】００１１
【補正方法】変更
【補正の内容】
【００１１】
上記の目的を達成するための本発明に係るベルトユニットの代表的な構成は、対向する回転体と共同して加熱ニップ部を形成するベルトユニットであって、
金属層を有するエンドレスベルトと、
通電により発熱する発熱体を有し、前記エンドレスベルトの内周面に当接して前記エンドレスベルトを加熱するヒータを備え、前記加熱ニップ部を形成されるよう前記回転体と共に前記エンドレスベルトを挟むニップ形成部材と、
前記ニップ形成部材を前記回転体に向けて押圧する金属ステイと、
前記エンドレスベルトの温度を検知する温度検知素子と、
前記温度検知素子を前記エンドレスベルトの内周面に向けて付勢する金属製の板バネと、
前記ステイの内側に位置し、前記板バネを支持する絶縁性の支持部材と、
前記板バネを介して前記温度検知素子と電気的に接続するコードと、
前記板バネの露出している露出部と前記ステイの間を絶縁すべく前記板バネの露出部と前記ステイとの間に介在する介在部を備え、前記支持部材を保持する絶縁性のホルダ部と、を有し、
前記発熱体から、前記ステイと前記板バネの露出部までの、前記ステイ及び前記介在部を通る沿面距離は、２．５ｍｍ以上であることを特徴とする。
また、本発明に係るベルトユニットの代表的な構成は、対向する回転体と共同して加熱ニップ部を形成するベルトユニットであって、
金属層を有するエンドレスベルトと、
通電により発熱する発熱体を有し、前記エンドレスベルトの内周面に当接して前記エンドレスベルトを加熱するヒータを備え、前記加熱ニップ部を形成されるよう前記回転体と共に前記エンドレスベルトを挟むニップ形成部材と、
前記ニップ形成部材を前記回転体に向けて押圧する金属ステイと、
前記エンドレスベルトの温度を検知する温度検知素子と、
前記温度検知素子を前記エンドレスベルトの内周面に向けて付勢する金属製の板バネと、
前記ステイの内側に位置し、前記板バネを支持する絶縁性の支持部材と、
前記板バネを介して前記温度検知素子と電気的に接続するコードと、
前記板バネの露出している露出部と前記ステイの間を絶縁すべく前記板バネの露出部と前記ステイとの間に介在する介在部を備え、前記支持部材を保持する絶縁性のホルダ部と、を有し、
前記板バネが弾性に抗して曲げられたとき、前記板バネの露出部が前記介在部に当接することにより前記板バネの曲げが規制されることを特徴とする。
【手続補正３】
【補正対象書類名】明細書
【補正対象項目名】００１２
【補正方法】変更
【補正の内容】
【００１２】
また、上記の目的を達成するための本発明に係る画像加熱装置の代表的な構成は、金属層を有するエンドレスベルトと、
前記エンドレスベルトと協働してシート上のトナー画像を加熱する加熱ニップ部を形成する回転体と、
通電により発熱する発熱体を有し、前記エンドレスベルトの内周面に当接して前記エンドレスベルトを加熱するヒータを備え、前記加熱ニップ部を形成されるよう前記回転体と共に前記エンドレスベルトを挟むニップ形成部材と、
前記ニップ形成部材を前記回転体に向けて押圧する金属ステイと、
前記エンドレスベルトの温度を検知する温度検知素子と、
前記温度検知素子を前記エンドレスベルトの内周面に向けて付勢する金属製の板バネと、
前記ステイの内側に位置し、前記板バネを支持する絶縁性の支持部材と、
前記板バネを介して前記温度検知素子と電気的に接続するコードと、
前記板バネの露出している露出部と前記ステイの間を絶縁すべく前記板バネの露出部と前記ステイとの間に介在する介在部を備え、前記支持部材を保持する絶縁性のホルダ部と、を有し、
前記発熱体から、前記ステイと前記板バネの露出部までの、前記ステイ及び前記介在部を通る沿面距離は、２．５ｍｍ以上であることを特徴とする。
また、本発明に係る画像加熱装置の代表的な構成は、金属層を有するエンドレスベルトと、
前記エンドレスベルトと協働してシート上のトナー画像を加熱する加熱ニップ部を形成する回転体と、
通電により発熱する発熱体を有し、前記エンドレスベルトの内周面に当接して前記エンドレスベルトを加熱するヒータを備え、前記加熱ニップ部を形成されるよう前記回転体と共に前記エンドレスベルトを挟むニップ形成部材と、
前記ニップ形成部材を前記回転体に向けて押圧する金属ステイと、
前記エンドレスベルトの温度を検知する温度検知素子と、
前記温度検知素子を前記エンドレスベルトの内周面に向けて付勢する金属製の板バネと、
前記ステイの内側に位置し、前記板バネを支持する絶縁性の支持部材と、
前記板バネを介して前記温度検知素子と電気的に接続するコードと、
前記板バネの露出している露出部と前記ステイの間を絶縁すべく前記板バネの露出部と前記ステイとの間に介在する介在部を備え、前記支持部材を保持する絶縁性のホルダ部と、を有し、
前記板バネが弾性に抗して曲げられたとき、前記板バネの露出部が前記介在部に当接することにより前記板バネの曲げが規制されることを特徴とする。